(57)【要約】【課題】  キャリブレーションまたはプロファイル作成を実施する実際のプリンタと測定機の組合せにおいて、測定精度を向上するための効率の良い繰返しパターン決定の方法を提供すること。【解決手段】  面内縦横に同じ色を並べたパッチチャートを１枚または複数枚プリンタから出力し、各パッチの出力色を測定する。測定値から全体の基準値を求める。複数通りの面内繰返しパターンに従い、それぞれのパターンにおける累計枚数での測定値と全体の基準値との関係から評価値を計算する。パターンと累計枚数の組合せにおける評価値の推移から効率の良い繰返しパターンとチャート枚数を決定する。このように決定した繰返しパターンとチャート枚数を使ってキャリブレーションまたはプロファイル作成用のチャートを生成する。【選択図】  図１
2009038734.tif 000002
【特許請求の範囲】
【請求項１】
キャリブレーションやプロファイル作成用のプリンタ出力チャートにおいて、プリンタと測定機との組合せに応じてチャートの繰返しパターンや出力枚数を変更することを特徴とする測定用出力チャートパターン選択方法。
【発明の詳細な説明】
【技術分野】
【０００１】
本発明はプリンタのキャリブレーションまたはプロファイル作成等で、プリンタの色再現特性を測定するためのプリンタ出力チャートに関する技術である。
【背景技術】
【０００２】
従来の出力チャートにおける面内ムラの影響を低減するためのパッチ配色方法としては、濃度ムラの長手方向と垂直になるように同一色パッチを配列する方法（特許文献１参照）や、ランダムにパッチを配置する方法（特許文献２参照）がある。
【特許文献１】特開２００１−０９４８０３
【特許文献２】ＵＳＰ５７６０９１３
【発明の開示】
【発明が解決しようとする課題】
【０００３】
面内ムラの影響を低減するために同じ色を別の位置に繰返し出力して複数の測定値の平均を採るということが従来行われているが、その繰返しパターンは予め決められた固定のものであるか、ランダムに配置されたものであった。そのため、ユーザが実際に使用するプリンタと測定機の組合せにおいて必ずしも最適な配色になるとは限らなかった。
【０００４】
本発明の目的はキャリブレーションまたはプロファイル作成を実施する実際のプリンタと測定機の組合せにおいて、測定精度を向上するための効率の良い繰返しパターン決定の方法を提供することである。
【課題を解決するための手段】
【０００５】
面内縦横に同じ色を並べたパッチチャートを１枚または複数枚プリンタから出力し、各パッチの出力色を測定する。測定値から全体の基準値を求める。複数通りの面内繰返しパターンに従い、それぞれのパターンにおける累計枚数での測定値と全体の基準値との関係から評価値を計算する。パターンと累計枚数の組合せにおける評価値の推移から効率の良い繰返しパターンとチャート枚数を決定する。このように決定した繰返しパターンとチャート枚数を使ってキャリブレーションまたはプロファイル作成用のチャートを生成する。
【発明の効果】
【０００６】
当該プリンタと測定機との組合せにおいて、面内ムラによるチャート出力色のばらつきの影響を低減したチャート形式（繰返しパターン、枚数）を求めることにより、キャリブレーションまたはプロファイル作成による色再現精度を向上させるという効果がある。
【発明を実施するための最良の形態】
【０００７】
次に、本発明の詳細を実施例の記述に従って説明する。
【実施例１】
【０００８】
以下図面を用いて本発明の実施例を説明する。
【０００９】
図１は本発明の実施例の構成を示すブロック図であり、図２は本発明の実施例の手順を示すフローチャートである。
【００１０】
（ステップ２０）評価用チャート５を印刷部６よりプリンタ２へ印刷し、チャート印刷物３を得る。図３は評価用チャート印刷物の例であり、縦横に（Ｒ１２８，Ｇ１２８，Ｂ１２８）のグレー中間色パッチを配置したチャートを複数枚出力する。
【００１１】
（ステップ２１）測定部７によりチャート印刷物３を測定機４から測定し、チャート測定値８を得る。ここでは図３の全てのパッチ毎に測定値が測定される。測定機４はスキャナや測色計などの装置であり、測定値はスキャナＲＧＢ値またはＬａｂ値などである。
【００１２】
（ステップ２２）チャート測定値８の複数枚に渡る縦横全てのパッチの測定値から基準値１０を求める。例えば基準値として全測定値の平均値（ＲＧＢ，Ｌａｂ等の成分ごとの平均値）を求める。
【００１３】
（ステップ２３）繰返しパターン生成部１３が繰返しパターン１２を生成する。あらかじめ使用する全種類のパターンを記憶装置中に持っておき順番に１つずつ取り出すという処理でも構わない。繰返しパターンとはチャート印刷物３の縦横のパッチを同数の小グループからなる縦横の繰返しに分割したものである。端数が出る場合には端数分の列または行を紙の端の方から除外して分割する。図４が２種類の繰返しパターン例であり、左の例が縦３×横３の繰返しパターン、右の例が縦４×横２の繰返しパターンである。実際のチャートとして使う際には小グループの各位置にパッチ色を割当て、同じパッチ色の測定値を全ての小グループで平均したものを測定値として用いる。
【００１４】
（ステップ２４）全種類のパターンを処理済である場合にはステップ２６へ進み、そうでなければステップ２５へ進む。
【００１５】
（ステップ２５）評価部９により現在処理中の繰返しパターン１２に対してパターン評価値１１を計算する。図５が繰返しパターンの評価式の例である。図４右の縦４×横２の繰返しパターンで各ブロックをＢ４２［ｋ，ｌ］のように表記する。ｋは縦、ｌは横のブロックのインデックスを示す。チャート印刷物３は複数枚出力するのでそれぞれ区別し、ｐ枚目の各ブロックをＢ４２［ｐ］［ｋ，ｌ］と表記する。さらにブロック内のパッチの測定値をブロック中のインデックス（縦ｉ，横ｊ）を使ってＢ４２［ｐ］［ｋ，ｌ］［ｉ，ｊ］と表記する。各ブロック中の同じ位置［ｉ，ｊ］毎に平均を取る。ｒ枚目までの平均と基準値１０との色差を位置［ｉ，ｊ］毎に求め、［ｉ，ｊ］を変化させた時の最大値を、縦Ｋ×横Ｌの繰返しパターンＫＬのｒ枚累計における評価値Ｖ（ＫＬ，ｒ）とする。
【００１６】
（ステップ２６）全パターン評価後に評価値とｒとの関係から繰返しパターン及び枚数を決定し選択パターン１４へ設定する。図６が繰返しパターン毎の累積枚数による評価値の推移を示すグラフ例である。繰返しパターンは３種類（６１〜６３）であり、１枚から５枚までの累計での色差が示されており、値の低い方が高い評価となる。この例では最も評価の高いパターン６３を選択し、効率を考慮して枚数は２枚と決定する。このパターンと枚数の情報を選択パターン１４へ設定する。
【００１７】
（ステップ２７）決定した選択パターン１４とあらかじめ用意されているパッチ色１６の情報を使って、チャート生成部１５がパッチチャート１７を生成する。
【図面の簡単な説明】
【００１８】
【図１】本発明の実施例の構成を示すブロック図
【図２】本発明の実施例の手順を示すフローチャート
【図３】評価用チャート印刷物の例を示す模式図
【図４】２種類の繰返しパターン例を示す模式図
【図５】繰返しパターンの評価式の例
【図６】３種類の繰返しパターンの累計枚数による評価値の推移を示すグラフ例
【符号の説明】
【００１９】
１  ＰＣ
２  プリンタ
３  チャート印刷物
４  測定機
５  評価用チャート
６  印刷部
７  測定部
８  チャート測定値
９  評価部
１０  基準値
１１  パターン評価値
１２  繰返しパターン
１３  繰返しパターン生成部
１４  選択パターン
１５  チャート生成部
１６  パッチ色
１７  パッチチャート
２０〜２７  フローチャートのステップ
６１〜６３  ３種類の繰返しパターンの累計枚数による色差推移を示すグラフ
【図１】
2009038734.tif 000003
【図２】
2009038734.tif 000004
【図３】
2009038734.tif 000005
【図４】
2009038734.tif 000006
【図５】
2009038734.tif 000007
【図６】
2009038734.tif 000008